(57)【要約】      （修正有）【課題】捜索対象の捜索を容易に行うことができる捜索システムおよびプログラムを提供する。【解決手段】捜索システム１は捜索対象を識別する識別情報１１を記憶し送信する非接触通信器１０と、非接触通信器１０から送信される識別情報１１を受信するとともに、受信した識別情報１１を含む送信情報を送信する送受信装置２０と、送受信装置２０から送信される送信情報を受信し記憶するサーバ６０と、を有する。送受信装置２０は、移動可能に構成される移動送受信装置３０を有し、移動送受信装置３０は、更に携帯可能にかつ通信可能に構成される。【選択図】図１
2017005637.tif 000002
【特許請求の範囲】
【請求項１】
捜索対象を識別する識別情報を記憶し送信する非接触通信器と、前記非接触通信器から送信される識別情報を受信するとともに、前記受信した識別情報を含む送信情報を送信する送受信装置と、前記送受信装置から送信される送信情報を受信し記憶するサーバと、を有する捜索システムであって、
前記送受信装置は、移動可能に構成される移動送受信装置を有することを特徴とする捜索システム。
【請求項２】
前記移動送受信装置は、携帯可能にかつ通信可能に構成される携帯通信端末装置とすることを特徴とする請求項１に記載の捜索システム。
【請求項３】
前記送受信装置は、前記非接触通信器から送信される識別情報を受信する受信部と、前記受信部により識別情報が受信されたときに日時情報を生成する第１の情報生成部と、前記受信部により識別情報が受信されたときに前記送受信装置の位置情報を生成する第２の情報生成部と、前記第１の情報生成部により生成された日時情報および前記第２の情報生成部により生成された位置情報を前記識別情報とともに前記送信情報として送信する送信部と、を有することを特徴とする請求項１または請求項２に記載の捜索システム。
【請求項４】
前記送受信装置は、固定された場所に設置される固定送受信装置を更に有することを特徴とする請求項１または請求項２に記載の捜索システム。
【請求項５】
前記非接触通信器からの前記識別情報の送信および前記送受信装置による前記識別情報の受信は、近距離無線通信により行うことを特徴とする請求項３または請求項４に記載の捜索システム。
【請求項６】
前記サーバは、前記送受信装置から送信された送信情報を受信する第１の受信部と、前記第１の受信部により受信された送信情報を記憶する第１の記憶部と、を有することを特徴とする請求項３または請求項４に記載の捜索システム。
【請求項７】
前記サーバは、前記捜索対象の捜索を依頼する捜索依頼者を識別する識別情報を予め記憶する第２の記憶部と、前記捜索依頼者の識別情報を受信する第２の受信部と、前記第２の記憶部に予め記憶された捜索依頼者の識別情報と前記第２の受信部により受信された捜索依頼者の識別情報とが一致するか否かを判断する判断部と、前記判断部により一致すると判断されたときに前記第１の記憶部に記憶された送信情報への閲覧を許可する閲覧許可部と、を有することを特徴とする請求項６に記載の捜索システム。
【請求項８】
前記サーバは、前記第１の記憶部に記憶された送信情報を送信する送信部と、前記送信情報の公開を依頼するための公開依頼情報を受信する第３の受信部と、を有し、前記送信部は、前記第３の受信部が公開依頼情報を受信したときに前記送信情報を送信することを特徴とする請求項７に記載の捜索システム。
【請求項９】
前記送信部における送信情報の送信は、ツイッター、インターネット掲示板、または電子メールを介して行うことを特徴とする請求項８に記載の捜索システム。
【請求項１０】
非接触通信器から送信される捜索対象を識別する識別情報を受信するとともに、前記受信した識別情報を含む送信情報を送信する捜索システムにおける送受信装置のコンピュータを、
前記非接触通信器から送信される捜索対象を識別する識別情報を受信する受信部と、前記受信部により識別情報が受信されたときに日時情報を生成する第１の情報生成部と、前記受信部により識別情報が受信されたときに前記送受信装置の位置情報を生成する第２の情報生成部と、前記第１の情報生成部により生成された日時情報および前記第２の情報生成部により生成された位置情報を前記識別情報とともに前記送信情報として送信する送信部として機能させることを特徴とするプログラム。
【請求項１１】
非接触通信器から送信される捜索対象を識別する識別情報を受信しかつ該受信した識別情報を含む送信情報を送信する送受信装置から送信される送信情報を受信し記憶する捜索システムにおけるサーバのコンピュータを、
前記送受信装置から送信された送信情報を受信する第１の受信部と、前記第１の受信部により受信された送信情報を記憶する第１の記憶部として機能させることを特徴とするプログラム。
【発明の詳細な説明】
【技術分野】
【０００１】
本発明は、捜索システムおよびプログラムに関し、特に非接触通信器から送信される迷子等の捜索対象の識別情報を受信するとともに、受信した識別情報を送信情報として送信する送受信装置と、送受信装置から送信される送信情報を受信し記憶するサーバと、を有する捜索システムおよびプログラムに関する。
【背景技術】
【０００２】
近年、徘徊老人の増加が社会問題化しており、徘徊老人等の迷子等の捜索対象者を捜索するためのシステムが各種提案されている。例えば、特許文献１においては、捜索対象者が無線通信タグ等の非接触通信器を身に付けるとともに、所定の位置に配置した複数の受信機により非接触通信器の現在位置を受信し、現在位置を受信した受信機の位置情報により非接触通信器の移動の軌跡を取得することにより捜索対象者の捜索を可能とするシステム（徘徊者位置表示システム）が開示されている。
【先行技術文献】
【特許文献】
【０００３】
【特許文献１】特開２００８−５９１７４号
【発明の概要】
【発明が解決しようとする課題】
【０００４】
しかしながら、上述した従来のシステムにおいては、受信機が所定の位置に設置されているため、例えば、屋外等の広範囲に渡る捜索を行う場合には、受信機間の間隔が長くなり、捜索対象者の追跡を行うことが難しくなる等、捜索対象者の捜索が極めて困難となる。一方、受信機の間隔を短くして捜索を容易に行うこととすると、受信機は固定して設置されているため設置台数が際限なく増えてしまい現実的な対策とならない。
【０００５】
本願発明は上記事情に鑑みてなされたものであり、捜索対象の捜索を容易に行うことができる捜索システムおよびプログラムを提供することを目的とする。
【課題を解決するための手段】
【０００６】
上記目的を達成するために、捜索システムに係る請求項１の発明は、捜索対象を識別する識別情報を記憶し送信する非接触通信器と、非接触通信器から送信される識別情報を受信するとともに、受信した識別情報を含む送信情報を送信する送受信装置と、送受信装置から送信される送信情報を受信し記憶するサーバと、を有する捜索システムであって、送受信装置は、移動可能に構成される移動送受信装置を有することを特徴とする。
【０００７】
本発明によれば、送受信装置は、移動可能に構成される移動送受信装置を有することとしたので、非接触通信器を捜索対象に備える等することにより、移動送受信装置により移動しながら捜索対象を捜索してその情報を収集しサーバに記憶することができる等、捜索対象の捜索を容易に行うことができる。
【０００８】
移動送受信装置は、携帯可能にかつ通信可能に構成される携帯通信端末装置とすることとすれば、移動しながらの捜索対象の捜索を更に容易に行うことができる（請求項２）。
【０００９】
送受信装置は、非接触通信器から送信される識別情報を受信する受信部と、受信部により識別情報が受信されたときに日時情報を生成する第１の情報生成部と、受信部により識別情報が受信されたときに送受信装置の位置情報を生成する第２の情報生成部と、第１の情報生成部により生成された日時情報および第２の情報生成部により生成された位置情報を識別情報とともに送信情報として送信する送信部と、を有することとすれば、捜索対象を識別しつつ日時や位置を特定して記憶することができる（請求項３）。
【００１０】
送受信装置は、固定された位置に設置される固定送受信装置を更に有することとすれば、すなわち、移動送受信装置と固定送受信装置を併用することとすれば、所定の間隔で固定送受信装置を配置しつつ移動送受信装置で移動しながら捜索できるので、効率よく捜索対象の捜索を行うことができる（請求項４）。
【００１１】
非接触通信器からの識別情報の送信および送受信装置による識別情報の受信は、近距離無線通信により行うこととすれば、捜索対象の位置と送受信装置の位置の差を適切な範囲とすることができる（請求項５）。
【００１２】
サーバは、送受信装置から送信された送信情報を受信する第１の受信部と、第１の受信部により受信された送信情報を記憶する第１の記憶部と、を有することとすれば、第１の記憶部に所要にアクセスすることで捜索対象の情報を容易に得ることができる（請求項６）。
【００１３】
サーバは、捜索対象の捜索を依頼する捜索依頼者を識別する識別情報を予め記憶する第２の記憶部と、捜索依頼者の識別情報を受信する第２の受信部と、第２の記憶部に予め記憶された捜索依頼者の識別情報と第２の受信部により受信された捜索依頼者の識別情報とが一致するか否かを判断する判断部と、判断部により一致すると判断されたときに第１の記憶部に記憶された送信情報への閲覧を許可する閲覧許可部と、を有することとすれば、識別情報が一致する捜索依頼者のみに送信情報の閲覧を許可することができ、個人情報の保護に繋がる（請求項７）。
【００１４】
サーバは、第１の記憶部に記憶された送信情報を送信する送信部と、送信情報の公開を依頼するための公開依頼情報を受信する第３の受信部と、を有し、送信部は、第３の受信部が公開依頼情報を受信したとときに送信情報を送信することとすれば、送信情報を公開することが可能となり、捜索対象の捜索を更に一層容易に行うことができる（請求項８）。
【００１５】
送信部における送信情報の送信は、ツイッター、インターネット掲示板、または電子メールを介して行うこととすれば、第三者に確実に送信情報を公開することができる（請求項９）。
【００１６】
上記目的を達成するために、プログラムに係る請求項１０の発明は、非接触通信器から送信される捜索対象を識別する識別情報を受信するとともに、受信した識別情報を含む送信情報を送信する送受信装置のコンピュータを、非接触通信器から送信される捜索対象を識別する識別情報を受信する受信部と、受信部により識別情報が受信されたときに日時情報を生成する第１の情報生成部と、受信部により識別情報が受信されたときに送受信装置の位置情報を生成する第２の情報生成部と、第１の情報生成部により生成された日時情報および第２の情報生成部により生成された位置情報を識別情報とともに送信情報として送信する送信部として機能させることを特徴とする。
【００１７】
すなわち、請求項１０の如く構成されたプログラムを送受信装置にインストールすることとすれば、送受信装置を上記した受信部、第１の情報生成部、第２の情報生成部、送信部として確実に機能させることができる。
【００１８】
つまり、請求項１０の如く構成されたプログラムを第三者に広く普及する送受信装置より詳しくは携帯通信端末装置にインストールすることとすれば、該携帯通信端末装置を本発明の捜索システムに組み込むことができ、捜索対象の捜索の効率を大幅に向上させることができる。
【００１９】
上記目的を達成するために、プログラムに係る請求項１１の発明は、非接触通信器から送信される捜索対象を識別する識別情報を受信しかつ該受信した識別情報を含む送信情報を送信する送受信装置から送信される送信情報を受信し記憶するサーバのコンピュータを、送受信装置から送信された送信情報を受信する第１の受信部と、第１の受信部により受信された送信情報を記憶する第１の記憶部として機能させることを特徴とする。
【発明の効果】
【００２０】
本発明によれば、捜索対象の捜索を容易に行うことができる。
【図面の簡単な説明】
【００２１】
【図１】本発明の実施形態に係る捜索システムの全体構成の概要を示す図である。
【図２】同捜索システムの非接触通信器の構成を示す図である。
【図３】同捜索システムの移動送受信装置の構成を示すブロック図である。
【図４】同捜索システムの固定送受信装置の全体構成を示す図である。
【図５】同捜索システムの固定送受信装置の構成を示すブロック図である。
【図６】同捜索システムの送受信装置にインストールされたプログラムを示す図である。
【図７】同捜索システムのサーバの構成を示すブロック図である。
【図８】同捜索システムのサーバにインストールされたプログラムを示す図である。
【図９】同捜索システムの送受信装置の動作を説明するためのフローチャートである。
【図１０】同捜索システムのサーバの動作を説明するためのフローチャートである。
【図１１】同捜索システムのサーバの別の動作を説明するためのフローチャートである。
【図１２】同捜索システムのサーバの更に別の動作を説明するためのフローチャートである。
【発明を実施するための形態】
【００２２】
以下、本発明の実施形態について図面を参照して詳細に説明する。
図１は本発明の実施形態を示す捜索システム１の全体構成の概要を示す図である。同図を参照して本発明の捜索システム１の概要を説明すると、捜索システム１は、非接触通信器１０、送受信装置２０、通信回線５０、およびサーバ６０からなり、捜索対象より詳しくは徘徊老人等の迷子等の捜索対象者を捜索することができる。サーバ６０は、通信回線５０を介して、送受信装置２０と接続されるとともに、捜索対象者の捜索を依頼する捜索依頼者の端末８０およびツイッター、インターネット掲示板、電子メール９０（以下、ツイッター等９０とする）とも接続可能となっている。
【００２３】
非接触通信器１０は、非接触でつまり無線で所定の信号情報を送信することができる。非接触通信器１０は、非接触通信タグとし、より詳しくは、非接触通信タグは、近距離の無線通信を行う近距離無線通信タグとし、更に詳しくは、近距離無線通信タグは、「Ｂｌｕｅｔｏｏｔｈ」（登録商標）タグとしている。図２に示すように、非接触通信器１０は、電源１０ａを有するとともに、ＣＰＵ、メモリを有し、信号発信部１０ｂおよび記憶部１０ｃとして機能する。
【００２４】
すなわち、非接触通信器１０は、電源１０ａのオンによりＣＰＵ、メモリが動作して信号発信部１０ｂおよび記憶部１０ｃとして機能し、信号発信部１０ｂは、近距離の無線通信方式より詳しくは「Ｂｌｕｅｔｏｏｔｈ」（登録商標）の規格により規定された無線通信方式を行うとともに、記憶部１０ｃは、所定の情報が記憶可能となっている。つまり、記憶部１０ｃには、捜索対象者を識別するＩＤ番号等の識別情報１１が予め記憶されるとともに、信号発信部１０ｂが所要に動作して識別情報１１を信号情報として送信することができる。非接触通信器１０は、捜索対象者の靴、下着、キーボルダ―等に設けられ、捜索対象者は、非接触通信器１０を予め備えており、身に付けている。なお、識別情報１１は、番号情報および記号情報のみとし、氏名や住所等の個人を特定できるいわゆる個人情報は含まないものとする。
【００２５】
送受信装置２０は、移動送受信装置３０と固定送受信装置４０を有している。
移動送受信装置３０は、移動可能にかつ携帯可能に、更に通信可能に構成されており、例えばスマートフォン、タブレット端末、携帯電話機等の携帯通信端末装置が採用される。
【００２６】
図３に示すように、移動送受信装置３０は、受信部３１、判断部３３、第１の情報生成部３４、第２の情報生成部３５、および送信部３６を有している。
受信部３１は、非接触通信器１０から送信される捜索対象者の識別情報１１を無線で受信する機能を有している。すなわち、受信部３１は、非接触通信器１０との間で近距離の無線通信を行う近距離無線通信手段として機能し、「Ｂｌｕｅｔｏｏｔｈ」（登録商標）の機能を含む。つまり、受信部３１は、非接触通信器１０との間で「Ｂｌｕｅｔｏｏｔｈ」（登録商標）の規格により規定された無線通信を行うことができる。
【００２７】
判断部３３は、受信部３１により識別情報１１が受信されたか否かを判断する機能を有している。
第１の情報生成部３４は、判断部３３が受信部３１により識別情報１１が受信されたと判断したときに日時情報３４ａを生成する機能を有している。第１の情報生成部３４は、移動送受信装置３０に内蔵される時計手段から日時情報３４ａを入力して生成する。
【００２８】
第２の情報生成部３５は、判断部３３が受信部３１により識別情報１１が受信されたと判断したときに移動送受信装置３０の位置情報３５ａを生成する機能を有している。第２の情報生成部３５は、移動送受信装置３０に内蔵される位置情報取得手段より詳しくはＧＰＳ（Ｇｌｏｂａｌ  Ｐｏｓｉｔｉｏｎｉｎｇ  Ｓｙｓｔｅｍ）から位置情報３５ａを入力して生成する。
【００２９】
送信部３６は、通信回線５０を通じてサーバ６０に接続されている。すなわち、送信部３６は、第１の情報生成部３４により生成された日時情報３４ａおよび第２の情報生成部３５により生成された位置情報３５ａを識別情報１１とともに送信情報３６ａとして通信回線５０を通じてサーバ６０に送信する機能を有している。
【００３０】
固定送受信装置４０は、コンビニエンスストア等の固定された場所に設置される。固定送受信装置４０は、タグステーションとして機能するものであり、固定された場所に設置される限りにおいては、移動可能な構成であっても固定送受信装置４０として機能するものとする。
【００３１】
すなわち、図４に示すように、固定送受信装置４０は、非接触通信器１０から送信される信号情報を受信するレシーバ４０ａとレシーバ４０ａにより受信された信号情報として識別情報１１を処理する演算装置４０ｂとを有している。レシーバ４０ａは、非接触通信器１０との間で近距離の無線通信を行う近距離無線通信手段として機能し、「Ｂｌｕｅｔｏｏｔｈ」（登録商標）の機能を含む。つまり、レシーバ４０ａは、非接触通信器１０との間で「Ｂｌｕｅｔｏｏｔｈ」（登録商標）の規格により規定された無線通信を行うことができる。演算装置４０は、例えばパーソナルコンピュータとすることができる。
【００３２】
図５に示すように、固定送受信装置４０は、より詳しくは固定送受信装置４０の演算装置４０ｂは、受信部４１、記憶部４２、判断部４３、第１の情報生成部４４、第２の情報生成部４５、第３の情報生成部４６、および送信部４７を有している。
【００３３】
受信部４１は、レシーバ４０ａを介して、非接触通信器１０から送信される捜索対象者の識別情報１１を無線または有線で受信する機能を有している。
記憶部４２は、固定送受信装置４０の位置情報４５ａを記憶する機能を有しており、該位置情報４５ａは予め記憶部４２に記憶されている。
【００３４】
判断部４３は、受信部４１により識別情報１１が受信されたか否かを判断する機能を有している。
第１の情報生成部４４は、判断部４３が受信部４１により識別情報１１が受信されたと判断したときに日時情報４４ａを生成する機能を有している。第１の情報生成部４４は、固定送受信装置４０に内蔵される時計手段から日時情報４４ａを入力して生成する。
【００３５】
第２の情報生成部４５は、判断部４３が受信部４１により識別情報１１が受信されたと判断したときに固定送受信装置４０の位置情報４５ａを記憶部４２から読み出して生成する機能を有している。
【００３６】
第３の情報生成部４６は、判断部４３が受信部４１により識別情報１１が受信されたと判断したときに、映像情報４６ａを生成する機能を有している。第３の情報生成部４６は、固定送受信装置４０が備えるカメラやビデオ等の映像を撮影する撮影手段から映像情報４６ａを入力し生成する。
【００３７】
送信部４７は、通信回線５０を通じてサーバ６０に接続されている。すなわち、送信部４７は、第１の情報生成部４４により生成された日時情報４４ａ、第２の情報生成部４５により生成された位置情報４５ａ、および第３の情報生成部４６により生成された映像情報４６ａを識別情報１１とともに送信情報４７ａとして通信回線５０を通じてサーバ６０に送信する機能を有している。
【００３８】
既述の如く構成された移動送受信装置３０および固定送受信装置４０の各機能部は、図６に示すように、プログラム１００ａ，１００ｂをインストールして実行することによりその機能を果たす。
【００３９】
すなわち、送受信装置２０は、コンピュータとしての一般的構成を備え、プログラム１００は、捜索システム１における送受信装置２０のコンピュータを、非接触通信器１０から送信される所定の捜索対象者を識別する識別情報１１を受信するとともに、受信した識別情報１１を含む送信情報３６ａ，４７ａを送信する送受信装置２０として機能させることができる。
【００４０】
より詳しくは、プログラム１００は、捜索システム１における送受信装置２０のコンピュータを、非接触通信器１０から送信される所定の捜索対象者を識別する識別情報１１を受信する受信部３１，４１と、受信部３１，４１により識別情報１１が受信されたか否かを判断する判断部３３，４３と、判断部３３，４３が受信部３１，４１により識別情報１１が受信されたと判断したときに日時情報３４ａ，４４ａを生成する第１の情報生成部３４，４４と、判断部３３，４３が受信部３１，４１により識別情報１１が受信されたと判断したときに送受信装置２０の位置情報３５ａ，４５ａを生成する第２の情報生成部３５，４５と、第１の情報生成部３４，４４により生成された日時情報３４ａ，４４ａおよび第２の情報生成部３５，４５により生成された位置情報３５ａ，４５ａを識別情報１１とともに送信情報３６ａ，４７ａとして送信する送信部３６，４７として機能させることができる。
【００４１】
更に詳しくは、プログラム１００ａは、移動送受信装置３０のコンピュータにおいて、受信部３１を、非接触通信器１０との間で近距離の無線通信を行う近距離無線通信手段として機能させることができ、近距離無線通信手段による近距離無線通信方式を「Ｂｌｕｅｔｏｏｔｈ」（登録商標）の規格により規定された方式とするように構成することができる。また更に、プログラム１００ｂは、固定送受信装置４０の演算装置４０ｂのコンピュータを、固定送受信装置４０の位置情報４５ａを記憶する記憶部４２と、判断部４３が受信部４１により識別情報１１が受信されたと判断したときに映像情報４６ａを生成する第３の情報生成部４６として機能させるとともに、送信部４７を、第３の情報生成部４６から映像情報４６ａを取得して送信情報４７ａとして送信する送信部４７として機能させることができる。
【００４２】
このように構成されたプログラム１００より詳しくは移動送受信装置３０のプログラム１００ａを、第三者に広く普及する移動送受信装置より詳しくは携帯通信端末装置にアプリケーションソフトとしてインストールすることとすれば、第三者に広く普及する携帯通信端末装置を本発明の捜索システムに組み込むことができ、捜索対象者の捜索の効率を大幅に向上させることができる。上述した「Ｂｌｕｅｔｏｏｔｈ」（登録商標）の機能やＧＰＳの機能は一般に普及する携帯通信端末装置において広く採用されている。
【００４３】
ここで、送受信装置２０にインストールされたプログラム１００ａ，１００ｂは、送受信装置２０の電源をオンすることによってのみ実行され、該プログラム１００ａ，１００ｂの実行により、受信部３１，４１、記憶部４２、判断部３３，４３、第１の情報生成部３４，４４、第２の情報生成部３５，４５、第３の情報生成部４６および送信部３６，４７がその機能を果たす。すなわち、送受信装置２０の各機能部３１，３３乃至３６，４１乃至４７は、送受信装置２０の利用者が行う電源のオン操作以外の格別の操作（キー操作、タッチパネル操作等）を介在することなく、電源のオン操作のみで動作させることができる。
【００４４】
図７に示すように、サーバ６０は、第１の受信部６１、第１の判断部６３、第１の記憶部６４、第２の受信部６５、第２の記憶部６６、第２の判断部６７、閲覧許可部６８、第３の受信部６９、第３の判断部７０、および送信部７１を有している。
【００４５】
第１の受信部６１は、送受信装置２０と通信回線５０を通じて接続されており、送受信装置２０から送信された送信情報３６ａ，４７ａを受信する機能を有している。
第１の判断部６３は、第１の受信部６１により送信情報３６ａ，４７ａが受信されたか否かを判断する機能を有している。
【００４６】
第１の記憶部６４は、第１の判断部６３が第１の受信部６１により送信情報３６ａ，４７ａが受信されたと判断したときに該受信された送信情報３６ａ，４７ａを記憶する機能を有している。
【００４７】
第２の受信部６５は、捜索依頼者の端末８０と通信回線５０を通じて接続されており、同端末８０を介して入力される捜索依頼者を識別するＩＤ番号等の識別情報１３を受信する機能を有している。なお、捜索依頼者は、捜索対象者と親族等の一定の関係を有するものとし、捜索対象者の識別情報１１を予め知り得る立場にあるものとする。
【００４８】
第２の記憶部６６は、捜索依頼者の識別情報１３を記憶する機能を有しており、識別情報１３は予め第２の記憶部６６に記憶されている。
第２の判断部６７は、第２の記憶部６６に記憶された捜索依頼者の識別情報１３と第２の受信部６５により受信された捜索依頼者の識別情報１３とが一致するか否かを判断する機能を有している。
【００４９】
閲覧許可部６８は、第２の判断部６７により識別情報１３が一致すると判断されたときに第１の記憶部６４に記憶された送信情報３６ａ，４７ａにアクセスしその閲覧を許可する機能を有している。
【００５０】
第３の受信部６９は、捜索依頼者の端末８０と通信回線５０を通じて接続されており、捜索依頼者の端末８０から入力された送信情報３６ａ，４７ａの公開を依頼するための公開依頼情報１５を受信する機能を有している。また、第３の受信部６９は、捜索依頼者の端末８０から入力される捜索対象者の個人情報および捜索依頼者の個人情報を受信する機能を有している。なお、捜索対象者の個人情報には、捜索対象者の氏名、住所、電話番号、性別、年齢、血液型、外見の特徴等が含まれる。また、捜索依頼者の個人情報には、捜索依頼者の氏名、住所、電話番号、性別、年齢等が含まれる。
【００５１】
第３の判断部７０は、第３の受信部６９により公開依頼情報１５、捜索対象者の個人情報、および捜索依頼者の個人情報（以下、捜索対象者の個人情報および捜索依頼者の個人情報は単に個人情報とする場合がある）が受信されたか否かを判断する機能を有している。
【００５２】
送信部７１は、第３の判断部７０が第３の受信部６９により公開依頼情報１５および個人情報が受信されたと判断したときに第１の記憶部６４に記憶された送信情報３６ａ，４７ａおよび第３の受信部６９により受信された個人情報を送信する機能を有している。送信部７１における送信情報３６ａ，４７ａおよび個人情報の送信は、ツイッター、インターネット掲示板、または電子メールを介して行う。
【００５３】
既述の如く構成されたサーバ６０の各機能部は、図８に示すように、プログラム２００をインストールして実行することによりその機能を果たす。
すなわち、サーバ６０は、コンピュータとしての一般的構成を備え、プログラム２００は、捜索システム１におけるサーバ６０のコンピュータを、送受信装置２０から送信された送信情報３６ａ，４７ａを受信する第１の受信部６１と、第１の受信部６１により送信情報３６ａ，４７ａが受信されたか否かを判断する第１の判断部６３と、第１の判断部６３が第１の受信部６１により送信情報３６ａ，４７ａが受信されたと判断したときに第１の受信部６１により受信された送信情報３６ａ，４７ａを記憶する第１の記憶部６４として機能させることができる。
【００５４】
更に、プログラム２００は、サーバ６０のコンピュータを、捜索対象者の捜索を依頼する捜索依頼者を識別する識別情報１３を予め記憶する第２の記憶部６６と、捜索依頼者の識別情報１３を受信する第２の受信部６５と、第２の記憶部６６に予め記憶された捜索依頼者の識別情報１３と第２の受信部６５により受信された捜索依頼者の識別情報１３とが一致するか否かを判断する第２の判断部６７と、第２の判断部６７により一致すると判断されたときに第１の記憶部６４に記憶された送信情報３６ａ，４７ａへの閲覧を捜索依頼者に許可する閲覧許可部６８として機能させることができる。
【００５５】
また更に、プログラム２００は、サーバ６０のコンピュータを、捜索依頼者の端末８０から送信される送信情報３６ａ，４７ａの公開を依頼するための公開依頼情報１５および個人情報を受信する第３の受信部６９と、第３の受信部６９により公開依頼情報１５および個人情報が受信されたか否かを判断する第３の判断部７０と、第３の判断部７０が第３の受信部６９により公開依頼情報１５および個人情報が受信されたと判断したときに送信情報３６ａ，４７ａおよび個人情報を送信する送信部７１として機能させることができる。
【００５６】
また更に、プログラム２００は、サーバ６０のコンピュータにおいて、送信部７１を、ツイッター、インターネット掲示板、または電子メールを介して送信情報３６ａ，４７ａの送信を行う送信部７１として機能させることができる。
【００５７】
次に、捜索システム１による動作フローを図９乃至図１２のフローチャートに基づいて説明する。なお、図９は、送受信装置２０による動作フローを、図１０は、サーバ６０による送信情報３６ａ，４７ａの記憶動作を、図１１は、サーバ６０による送信情報３６ａ，４７ａへの閲覧許可動作を、図１２は、サーバ６０による送信情報３６ａ，４７ａおよび個人情報の公開動作を、それぞれ示す。
【００５８】
送受信装置２０による動作フローは、図９に示すように、まずステップＳ１０により始まる。
すなわち、ステップＳ１０において、判断部３３が送受信装置２０の受信部３１，４１により非接触通信器１０から捜索対象者の識別情報１１が受信されたか否かを判断する。判断部３３が、受信部３１，４１が識別情報１１を受信しないと判断する場合は動作を終了し、受信したと判断する場合は、ステップＳ２０において、送信情報３６ａ，４７ａを生成する。より詳しくは、第１の情報生成部３４，４４により日時情報３４ａ，４４ａを生成し、第２の情報生成部３５，４５により位置情報３５ａ，４５ａを生成し、更に固定送受信装置４０においては、第３の情報生成部４６により映像情報４６ａを生成する。
【００５９】
続いて、ステップＳ３０において、ステップＳ２０で生成された送信情報３６ａ，４７ａを送信部３６，４７がサーバ６０に送信する。
【００６０】
次に、図１０に示すサーバ６０による送信情報３６ａ，４７ａの記憶動作について説明する。
すなわち、ステップＳ１００において、第１の判断部６３が送受信装置２０の送信部３６，４７から送信情報３６ａ，４７ａが第１の受信部６１により受信されたか否かを判断する。第１の判断部６３が、送信情報３６ａ，４７ａが受信されていないと判断する場合は動作を終了し、受信されたと判断する場合は、ステップＳ１１０において、送信情報３６ａ，４７ａを第１の記憶部６４に記憶する。
【００６１】
続いて、図１１に示すサーバ６０による送信情報３６ａ，４７ａへの閲覧許可動作について説明する。
すなわち、ステップＳ２００において、第２の受信部６５が捜索依頼者の端末８０から入力される捜索依頼者の識別情報１３を受信する。
【００６２】
次いで、ステップＳ２１０において、第２の判断部６７が、第２の記憶部６６に予め記憶された捜索依頼者の識別情報１３を読み出すとともに、読み出した識別情報１３とステップＳ２００で受信された識別情報１３とが一致するか否かを判断する。第２の判断部６７が、識別情報１３が一致しないと判断する場合は動作を終了し、一致すると判断する場合は、ステップＳ２２０において、閲覧許可部６８が第１の記憶部６４に記憶された送信情報３６ａ，４７ａへの閲覧許可を与える。これにより、捜索依頼者の端末８０を介しての送信情報３６ａ，４７ａへの閲覧が可能となる。
【００６３】
次に、図１２に示すサーバ６０による送信情報３６ａ，４７ａ等の公開依頼動作について説明する。
すなわち、ステップＳ３００において、第２の受信部６５が捜索依頼者の端末８０から入力された捜索依頼者の識別情報１３を受信する。
【００６４】
次いで、ステップＳ３１０において、第２の判断部６７が、第２の記憶部６６に予め記憶された捜索依頼者の識別情報１３を読み出すとともに、読み出した識別情報１３とステップＳ３００で受信された識別情報１３とが一致するか否かを判断する。第２の判断部６７が、識別情報１３が一致しないと判断する場合は動作を終了し、一致すると判断する場合は、ステップＳ３２０において、第３の受信部６９が、捜索依頼者の端末８０から入力された公開依頼情報１５および個人情報を受信するとともに、第３の判断部７０が、第３の受信部６９により公開依頼情報１５および個人情報が受信されたか否かを判断する。第３の判断部７０が、公開依頼情報１５および個人情報を受信していないと判断する場合は動作を終了し、受信したと判断する場合は、ステップＳ３３０において、送信部７１が、送信情報３６ａ，４７ａおよび個人情報をツイッター、インターネット掲示板、電子メールに送信する。
【００６５】
以上説明したように本発明によれば、捜索システム１において送受信装置２０は、移動可能に構成される移動送受信装置３０より詳しくは移動可能にかつ携帯可能に、更に通信可能に構成される携帯通信端末装置を有することとしたので、移動しながら捜索対象者を捜索してその情報を収集することができ、捜索対象者の捜索を容易に行うことができる。
【００６６】
また、送受信装置２０は、固定された位置に設置される固定送受信装置４０を更に有し、移動送受信装置３０と固定送受信装置４０を併用することとしたので、所定の間隔で固定送受信装置４０を配置しつつ移動送受信装置３０で移動しながら捜索でき、効率よく捜索者の捜索を行うことができる。
【００６７】
更に、送受信装置２０は、日時情報３４ａ，４４ａを生成する第１の情報生成部３４，４４と、位置情報３５ａ，４５ａを生成する第２の情報生成部３５，４５を有し、固定送受信装置４０においては更に映像情報４６ａを生成する第３の情報生成部４６を有することとしたので、日時や位置、外見を特定しつつ捜索対象者の捜索を行うことができ、捜索者の捜索を更に容易に行うことができる。
【００６８】
更にまた、非接触通信器１０からの識別情報１１の送信および送受信装置２０による識別情報１１の受信を、近距離無線通信により行うこととしたので、より詳しくは、近距離無線通信を、「Ｂｌｕｅｔｏｏｔｈ」（登録商標）の規格により規定された方式とすることとしたので、捜索対象者の位置と送受信装置２０の位置の差を適切な範囲とすることができる。
【００６９】
また、サーバ６０は、第１の受信部６１により受信された送信情報３６ａ，４７ａを第１の記憶部６４において記憶することとしたので、第１の記憶部６４に所要にアクセスすることで捜索対象者の情報も容易に得ることができる。
【００７０】
更に、サーバ６０は、第２の記憶部６６に予め記憶された捜索依頼者の識別情報１３と第２の受信部６５により受信された捜索依頼者の識別情報１３とが一致すると判断されたときに第１の記憶部６４に記憶された送信情報３６ａ，４７ａへの閲覧を閲覧許可部６８により許可することとしたので、識別情報１３が一致する捜索依頼者のみに送信情報３６ａ，４７ａの閲覧を許可することができ、個人情報の保護に繋がる。
【００７１】
また更にサーバ６０は、捜索依頼者から公開依頼情報１５および個人情報を受信したときに送信情報３６ａ，４７ａおよび個人情報をツイッター、インターネット掲示板、または電子メールを介して送信することとしたので、第三者に確実に公開することができ、捜索者の捜索を更に一層容易に行うことができる。
【００７２】
なお、本発明は上述した実施形態に限定されることなく特許請求の範囲を逸脱しない範囲内において各種の変形実施、応用実施が可能であることは言うまでもない。
すなわち、例えば、上述した実施形態にあっては、近距離無線通信の方式を「Ｂｌｕｅｔｏｏｔｈ」（登録商標）の規格により規定された方式とすることとしているが、ＷｉＦｉ機能を用いて行うこととしたり、その他の近距離無線通信の方式を用いて行うこととすることもできる。
【００７３】
また、上述した実施形態にあっては、捜索対象者の個人情報および捜索依頼者の個人情報を捜索依頼者の端末８０からサーバ６０の第３の受信部６９が受信して送信部７１を介して送信情報３６ａ，４７ａとともに公開することとしているが、これらの個人情報を予めサーバの記憶部に記憶し、第３の受信部６９が記憶部から個人情報を読み出して送信部７１を介して公開することとしてもよい。この場合においてはサーバ６０に記憶された個人情報が流出することのないよう所要の管理を行うことは勿論である。
【００７４】
更に、上述した実施形態にあっては、サーバ６０の第１の記憶部６４は、第１の判断部６３が第１の受信部６１により送信情報３６ａ，４７ａが受信されたと判断したときに送信情報３６ａ，４７ａを記憶することとしているが、サーバ６０の記憶部に捜索対象者の識別情報１１を予め記憶させ、第１の判断部６３が、第１の受信部６１により受信された送信情報３６ａ，４７ａに含まれる識別情報１１と予め記憶部に記憶された識別情報１１とが一致するか否かを判断し、一致する場合にのみ第１の記憶部６４が送信情報３６ａ，４７ａを記憶することとしてもよい。この場合においては、サーバ６０の記憶容量が増大することを防止できるので好ましい。
【００７５】
更にまた、上述した実施形態にあっては、捜索対象を迷子等の捜索対象者とすることとしているが、カバン、財布、携帯電話、自転車、自動車等の物品として該物品に非接触通信器１０を予め備えることとしてもよい。つまり、このような物品の紛失や盗難に際しても本発明の捜索システム１を適用することにより捜索対象の捜索を容易に行うことができるのは勿論である。なお、捜索対象を物品とする場合にあっては、上述した捜索対象者の個人情報は、捜索対象を特定するための情報と読み替えるものとする。
【産業上の利用可能性】
【００７６】
本発明は、捜索対象の捜索を容易に行うことができる捜索システムを提供することにより、紛失物や盗難品、徘徊老人等の行方不明者の発見に大きく寄与する。
【符号の説明】
【００７７】
１：捜索システム、１０：非接触通信器、１０ａ：電源、１０ｂ：信号発信部、１０ｃ：記憶部、１１：識別情報（捜索対象者）、１３：識別情報（捜索依頼者）、２０：送受信装置、３０：移動送受信装置、３１：受信部、３３：判断部、３４：第１の情報生成部、３４ａ：日時情報、３５：第２の情報生成部、３５ａ：位置情報、３６：送信部、３６ａ：送信情報、４０：固定送受信装置、４０ａ：レシーバ、４０ｂ：演算装置、４１：受信部、４２：記憶部、４３：判断部、４４：第１の情報生成部、４４ａ：日時情報、４５：第２の情報生成部、４５ａ：位置情報、４６：第３の情報生成部、４６ａ：映像情報、４７：送信部、４７ａ：送信情報、５０：通信回線、６０：サーバ、６１：第１の受信部、６３：第１の判断部、６４：第１の記憶部、６５：第２の受信部、６６：第２の記憶部、６７：第２の判断部、６８：閲覧許可部、６９：第３の受信部、７０：第３の判断部、７１：送信部、８０：端末、９０：ツイッター、インターネット掲示板、電子メール、１００，１００ａ，１００ｂ，２００：プログラム
【図１】
2017005637.tif 000003
【図２】
2017005637.tif 000004
【図３】
2017005637.tif 000005
【図４】
2017005637.tif 000006
【図５】
2017005637.tif 000007
【図６】
2017005637.tif 000008
【図７】
2017005637.tif 000009
【図８】
2017005637.tif 000010
【図９】
2017005637.tif 000011
【図１０】
2017005637.tif 000012
【図１１】
2017005637.tif 000013
【図１２】
2017005637.tif 000014